(57)【要約】【課題】受水槽内に堆積する固形物を容易に系外に排出することにより、生物脱臭装置の圧力損失の増加や生物脱臭処理性能の低下を防止することができるようにした生物脱臭装置を提供すること。【解決手段】被処理ガスＡを導入し、被処理ガスＡの悪臭成分又はＶＯＣを分解する微生物を保持した担体部２と、担体部２に散水する散水手段５と、散水により担体部２を通過した水を受容する受水槽３と、受水槽３の水を散水手段５に供給する給水手段４とを備えた生物脱臭装置において、受水槽３の底壁３１を、沈殿した固形物Ｃが最下部に集積するように傾斜して設けるとともに、受水槽３の水中に、底壁３１と同方向に傾斜する複数の傾斜板７を並設する。【選択図】図１
2007301516.tif 000002
【特許請求の範囲】
【請求項１】
被処理ガスを導入し、該被処理ガスの悪臭成分又はＶＯＣを分解する微生物を保持した担体部と、該担体部に散水する散水手段と、該散水により担体部を通過した水を受容する受水槽と、受水槽の水を散水手段に供給する給水手段とを備えた生物脱臭装置において、前記受水槽の底壁を、沈殿した固形物が最下部に集積するように傾斜して設けたことを特徴とする生物脱臭装置。
【請求項２】
受水槽の底壁の上方の水中に、前記底壁と同方向に傾斜する複数の傾斜板を並設したことを特徴とする請求項１記載の生物脱臭装置。
【請求項３】
受水槽の傾斜上流側の側壁から、前記底壁と同方向に傾斜する庇状傾斜板を水面より上から延設するとともに、該側壁の水面付近に取水口を設置したことを特徴とする請求項１又は２記載の生物脱臭装置。
【発明の詳細な説明】
【技術分野】
【０００１】
本発明は、被処理ガス中の悪臭成分又はＶＯＣ（揮発性有機化合物）を生物学的に分解して脱臭処理する生物脱臭装置に関し、特に、長期間の安定した処理性能の維持とその維持管理性の向上を図った生物脱臭装置に関するものである。
【背景技術】
【０００２】
下水処理場やゴミ処理場、化学工場、印刷工場から排気される悪臭やＶＯＣの処理装置として、薬液洗浄法や活性炭吸着法等の物理的、化学的脱臭法といった種々の方式がある。
それらの一つに、ランニングコストが安く、また、維持管理も容易である方法として微生物を利用した生物分解法がある。
【０００３】
悪臭やＶＯＣを生物学的に分解して脱臭処理する装置では（特許文献１〜２参照）、処理槽内に担体を充填し、微生物をこの担体に保持させる方法が主に採用されており、被処理ガス中の悪臭成分又はＶＯＣは、担体部を通過する際に微生物により分解除去される。
生物脱臭法では、担体に保持された微生物を生育させるため、また、ガス中の悪臭成分やＶＯＣを微生物が処理可能なようにするための媒体として水が必要であり、一般に散水することで担体に水分を補給している。
【０００４】
また、散水を行うことには、アンモニアや硫化水素等の悪臭成分を分解する際に発生する分解生成物を洗い流してｐＨの急激な変化を防いだり、また、水に薬品を添加することでｐＨの調整を行ったり、あるいは、被処理ガス中の成分だけでは不足する栄養分を微生物に補充する等の効果がある。
この場合、散水用の水には常に新水を使用する場合もあるが、ランニングコストが高くなるため、水を受水槽に受容し循環させて使用する場合が多い。
【０００５】
一方、長期間運転を続けることで、脱臭装置内には、外部から混入した異物や活性の低下した微生物、処理の過程で発生した生成物等の固形物が徐々に堆積する。
水を循環させて散水する場合、受水槽の水中にそれらの固形物が混入していると、ノズルや配管が閉塞してしまい均一に散水できなくなり、生物脱臭処理性能の低下の要因となる。
さらには、担体の閉塞の要因となり、生物脱臭装置の圧力損失が増大する等の問題があった。
【特許文献１】特開平５−１１５７４２号公報
【特許文献２】特表２００４−５１５２８１号公報
【発明の開示】
【発明が解決しようとする課題】
【０００６】
本発明は、上記従来の生物脱臭装置が有する問題点に鑑み、受水槽内に堆積する固形物を容易に系外に排出することにより、生物脱臭装置の圧力損失の増加や生物脱臭処理性能の低下を防止することができるようにした生物脱臭装置を提供することを目的とする。
【課題を解決するための手段】
【０００７】
上記目的を達成するため、本発明の生物脱臭装置は、被処理ガスを導入し、該被処理ガスの悪臭成分又はＶＯＣを分解する微生物を保持した担体部と、該担体部に散水する散水手段と、該散水により担体部を通過した水を受容する受水槽と、受水槽の水を散水手段に供給する給水手段とを備えた生物脱臭装置において、前記受水槽の底壁を、沈殿した固形物が最下部に集積するように傾斜して設けたことを特徴とする。
【０００８】
この場合において、受水槽の底壁の上方の水中に、前記底壁と同方向に傾斜する複数の傾斜板を並設することができる。
【０００９】
また、受水槽の傾斜上流側の側壁から、前記底壁と同方向に傾斜する庇状傾斜板を水面より上から延設するとともに、該側壁の水面付近に取水口を設置することができる。
【発明の効果】
【００１０】
本発明の生物脱臭装置によれば、被処理ガスを導入し、該被処理ガスの悪臭成分又はＶＯＣを分解する微生物を保持した担体部と、該担体部に散水する散水手段と、該散水により担体部を通過した水を受容する受水槽と、受水槽の水を散水手段に供給する給水手段とを備えた生物脱臭装置において、前記受水槽の底壁を、沈殿した固形物が最下部に集積するように傾斜して設けることから、受水槽中に沈殿する固形物の除去を容易にすることができ、これにより、受水槽中に堆積する固形物量が減少するため、担体部への散水に受水槽中より取水した水を使用しても、受水槽中の固形物に起因する担体部の閉塞は低減され、圧力損失の急激な増加を防止することができ、さらに、配管やノズル等の閉塞を防止するとともに、ストレーナ等の固形物除去装置の清掃頻度を低減することができる。
これにより、微生物を保持する担体は常に適正な通気性を確保でき、処理に必要な水分が十分に補給されるため、長期間安定した分解性能を保てるとともに、維持管理性も向上する。
【００１１】
この場合、受水槽の底壁の上方の水中に、前記底壁と同方向に傾斜する複数の傾斜板を並設することにより、受水槽中で最下部まで沈殿する固形物の沈降を促進することができる。
【００１２】
また、受水槽の傾斜上流側の側壁から、前記底壁と同方向に傾斜する庇状傾斜板を水面より上から延設するとともに、該側壁の水面付近に取水口を設置することにより、担体を通過して落下する水をこの傾斜板により遮り、取水口付近に到達する固形物の量を低減させ、担体部への余剰な固形物の散布を防止することができる。
【発明を実施するための最良の形態】
【００１３】
以下、本発明の生物脱臭装置の実施の形態を、図面に基づいて説明する。
【００１４】
本発明の生物脱臭装置は、被処理ガスを導入する生物脱臭処理槽１と、導入した被処理ガスの悪臭成分又はＶＯＣを分解する微生物を保持した担体部２と、該担体部２に散水する散水手段としての散水管５と、該散水により担体部２を通過した水を受容する受水槽３と、受水槽３の水を散水管５に供給する給水手段としての散水ポンプ４とを備えている。
そして、前記受水槽３の底壁３１を、沈殿した固形物Ｃが最下部に集積するように傾斜して設けることにより、受水槽３中に沈殿する固形物Ｃを容易に収集できるようにしている。
【００１５】
また、受水槽３の底壁３１の上方の水中には、前記底壁３１と同方向に傾斜する複数の傾斜板７が並設されている。
これらの傾斜板７は、傾斜板全体が水没するように設置されており、受水槽３中で最下部まで沈殿する固形物Ｃの沈降速度を速め、促進するようにしている。
【００１６】
また、受水槽３の傾斜上流側の側壁３２から、前記底壁３１と同方向に傾斜する庇状傾斜板６を水面より上から延設するとともに、該側壁３２の水面付近に取水口８を設置している。
庇状傾斜板６は、その上端が水面より上で受水槽３の側壁３２に密着するようにし、その下端は水中に没するか水面より上に位置するようにする。
この庇状傾斜板６の下で、側壁３２の水面付近に取水口８を設置することにより、受水槽３の底壁３１の上方の水中に設置された傾斜板７の作用と相俟って、取水口８に到達する固形物Ｃの量を低減させ、担体部２への余剰な固形物Ｃの散布を防止することができる。
【００１７】
悪臭やＶＯＣを微生物により分解処理する生物脱臭装置では、長期間使用を続けると、担体部２を通過した水を受けるために設置された受水槽３中に、外部から混入した固形物Ｃや担体から剥離した微生物、分解生成物などが堆積・沈殿する。
受水槽３中に混入した固形物Ｃは、受水槽３の底壁３１の上方の水中に設置された傾斜板７により沈降が速められ、受水槽３の底壁３１に設けられた傾斜に沿って収集される。
傾斜した底壁３１の最下部に収集された固形物Ｃを、固形物排出装置により適宜排出することで、受水槽３中に堆積する固形物量は著しく減少する。
これにより、受水槽３中に堆積する固形物量が減少するため、担体への散水に受水槽３中より取水した水を使用しても、受水槽３中の固形物Ｃに起因する担体の閉塞は低減され、圧力損失の急激な増加を防止でき、さらに、配管やノズル等の閉塞を防止するとともに、ストレーナ等の固形物除去装置の清掃頻度を低減することができる。
【実施例１】
【００１８】
図１に、本発明の生物脱臭装置の一実施例を示す。
この生物脱臭装置は、受水槽３の底壁３１を、沈殿した固形物Ｃが最下部に集積するように傾斜して設けるとともに、該受水槽３の底壁３１の上方の水中に、前記底壁３１と同方向に傾斜する複数の傾斜板７を並設している。
また、受水槽３の傾斜上流側の側壁３２から、前記底壁３１と同方向に傾斜する庇状傾斜板６を水面より上から延設するとともに、該側壁３２の水面付近に取水口８を設置している。
なお、本実施例では、受水槽３と生物脱臭処理槽１とは同一槽内にあるものとしているが、別々の槽として配管等により接続されているものであってもよい。
また、本実施例では、受水槽３の底壁３１を、１方向の傾斜面としたが、これに限定されず、例えば、２方向の谷状の傾斜面としたり、逆円錐状の傾斜面とすることができ、そして、これに合わせて、傾斜板７も底壁３１と同方向に傾斜して並設するようにする。
【００１９】
悪臭成分又はＶＯＣを含有する被処理ガスＡは、生物脱臭処理槽１内に導入され、担体部２を通過する際に、担体に保持されている微生物の働きにより分解処理され、処理ガスＢとして系外に排出される。
受水槽３中には、水又は薬品を添加した溶液が溜められており、散水ポンプ４により受水槽３から取水された水又は溶液は、散水管５により担体部２に散水される。
一方、長期間運転する過程で発生した固形物Ｃは、受水槽の側壁３２に密着させた庇状傾斜板６の働きにより取水口８からは離れた位置で受水槽３中に落下し、傾斜板７により沈降が促進される。
【００２０】
受水槽３の下部に到達した固形物Ｃは、該受水槽３の底壁３１に設けられた傾斜に沿って、底壁３１の最下部に沈降・堆積する。
堆積した固形物Ｃは、排水ポンプ９により連続的又は断続的に系外に排出することにより、受水槽３内に堆積する固形物量を減少させることができる。
この場合、固形物Ｃを系外に排出する際に減少した分の水は、新水Ｄを補充することで適正な水量が保たれる。
【００２１】
受水槽３内の固形物Ｃの多くが排水ポンプ９により系外に排出され、かつ受水槽３からの取水は、庇状傾斜板６がある側壁３２の水面近傍から行うため、担体部２に散水される水に含まれる固形物量は減少し、担体部２に余剰に固形物Ｃが付着することはなくなり、さらに、配管やノズル等の閉塞も防止される。
なお、受水槽３内を曝気又は攪拌する場合もあるが、曝気や攪拌時間と排水ポンプの運転時間を考慮し、排水ポンプの運転開始の３０分以上、望ましくは２時間以上の静置時間を確保すれば効率よく固形物Ｃを系外に排出できる。
【００２２】
以上、本発明の生物脱臭装置について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２３】
本発明の生物脱臭装置は、沈殿した固形物が最下部に集積するように受水槽の底壁を傾斜して設け、沈殿する固形物の除去を容易にすることにより、受水槽中の固形物に起因する担体部の閉塞を低減するとともに、配管やノズル等の閉塞を防止し、ストレーナ等の清掃頻度を低減するという特性を有していることから、例えば、長期間安定した分解性能を保つとともに、維持管理性も向上するようにした生物脱臭装置の用途に好適に用いることができる。
【図面の簡単な説明】
【００２４】
【図１】本発明の生物脱臭装置の一実施例を示す断面図である。
【符号の説明】
【００２５】
１    生物脱臭処理槽
２    担体部
３    受水槽
３１  底壁
３２  側壁
４    散水ポンプ（給水手段）
５    散水管（散水手段）
６    庇状傾斜板
７    傾斜板
８    取水口
９    排水ポンプ
Ａ    被処理ガス
Ｂ    処理ガス
Ｃ    固形物
Ｄ    新水
【図１】
2007301516.tif 000003